(57)【要約】【課題】  カメラの内部への異物の侵入を効率よく防止する。【解決手段】カメラのレンズの前方部に設置され、レンズの前方を開放させるためのスライド空間部を有するシールドフレームと、スライド空間部からスライドしてレンズの前方を開閉し、突起を有するブレードと、シールドフレームに回動可能に連結され、レンズの前方を開放させるための中心孔が回動中心に形成され、突起と連結されるように形成されて自体回動時突起を移動させて前記ブレードを開閉させるためのカム溝を有する回動レバーと、を含んでなる。【選択図】  図１
2009510516.tif 000002
【特許請求の範囲】
【請求項１】
小型カメラのレンズの前方に設置されてカメラの内部へ異物が侵入することを防止するための小型カメラ用保護装置において、
カメラのレンズの前方に設置され、前記レンズの前方を開放させるためのスライド空間部を有するシールドフレームと、
前記スライド空間部からスライドして前記レンズの前方を開閉し、突起を有するブレードと、
前記シールドフレームに回動可能に連結され、前記レンズの前方を開放させるための中心孔が回動中心に形成され、前記突起と連結されるように形成されて自転時に前記突起を移動させて前記ブレードを開閉させるためのカム溝を有する回動レバーと、
を含んでなる小型カメラ用保護装置。
【請求項２】
前記ブレードは対称的に配置された一対よりなり、前記突起及び前記カム溝はそれぞれ一対からなることを特徴とする請求項１記載の小型カメラ用保護装置。
【請求項３】
前記シールドフレームまたは前記回動レバーのいずれか一方には係止溝が形成され、他方には前記係止溝に係合されて前記回動レバーの回動角度を制限するためのガイドリブが形成されていることを特徴とする請求項１記載の小型カメラ用保護装置。
【請求項４】
前記回動レバーにはユーザが手で押すことを可能とするように突出する取っ手が形成されていることを特徴とする請求項１記載の小型カメラ用保護装置。
【請求項５】
前記小型カメラ用保護装置は、
前記シールドフレームに連結されて前記ブレードの離脱を防止するためのカバー部材をさらに含むことを特徴とする請求項１記載の小型カメラ用保護装置。
【請求項６】
携帯端末に固定され、前記携帯端末に設置されたカメラを開放するための開放部が形成され、内部に空間部が形成されたカバー部材と、
前記空間部に摺動可能に設置されて前記開放部を開閉するためのブレードと、
前記空間部に摺動可能に設置されて前記ブレードを移動させるためのスライドレバーとを含み、
前記スライドレバーには突部が形成され、
前記ブレードには前記突部に連結される傾斜溝が形成され、
前記スライドレバーが直線運動する場合、前記突部は前記傾斜溝を押して前記ブレードが前記スライドレバーの運動方向と直角になる方向に移動することを特徴とする小型カメラ用保護装置。
【請求項７】
前記スライドレバーにはガイドリブが形成され、前記カバー部材には前記ガイドリブが直線運動するように案内するためのガイド溝が形成されていることを特徴とする請求項６記載の小型カメラ用保護装置。
【請求項８】
前記スライドレバーには前記カバー部材の外側に突出する把持部が形成されていることを特徴とする請求項６記載の小型カメラ用保護装置。
【請求項９】
前記スライドレバーと前記カバー部材のいずれか一方には係止突起が形成され、
他方には前記スライドレバーの初期位置及び移動した位置において前記係止突起が係合される凹部と、前記係止突起を弾性力で掴むための弾性リブとがそれぞれ形成されていることを特徴とする請求項６記載の小型カメラ用保護装置。
【請求項１０】
前記カバー部材は両面テープにより携帯端末に固定されていることを特徴とする請求項６記載の小型カメラ用保護装置。
【請求項１１】
携帯端末に設置されたカメラを開放するための第１開口が形成された前面カバーと、
前記前面カバーに軸支持されて回動動作により前記第１開口を開閉するためのブレードと、
回動動作により前記ブレードを回動させるための回動レバーと、
前記ブレードの回動範囲を制限して前記回動レバーが好適に回動されるように案内するためのガイドフレームと、
前記前面カバーとともに前記ブレードと前記回動レバー及び前記ガイドフレームの両面を保護し、前記第１開口に対応される第２開口が形成され、前記携帯端末に連結される背面カバーと、
を含んでなる小型カメラ保護装置。
【請求項１２】
前記前面カバーには中心軸が形成され、
前記ブレードには前記中心軸と回動可能に連結される回動孔が形成されていることを特徴とする請求項１１記載の小型カメラ保護装置。
【請求項１３】
ブレードは互いに接近及び離間して前記第１開口の半分を開閉する一対からなることを特徴とする請求項１１記載の小型カメラ保護装置。
【請求項１４】
前記ブレードにはカム突起が形成され、
前記回動レバーにはカム突起に連結され、前記回動レバーの回動動作を前記ブレードが前記第１開口を開閉する回動動作に切り替えるためのカム溝が形成されていることを特徴とする請求項１１〜１３のいずれか一つに記載の小型カメラ保護装置。
【請求項１５】
前記回動レバーには外側に突き出される把持部が形成されていることを特徴とする請求項１１記載の小型カメラ保護装置。
【請求項１６】
前記前面カバーまたは前記背面カバーのうちいずれか一方には残りの構成要素を連結させるための連結リブが形成されていることを特徴とする請求項１１記載の小型カメラ保護装置。
【請求項１７】
前記背面カバーは両面テープにより前記携帯端末に固定されていることを特徴とする請求項１１記載の小型カメラ保護装置。
【請求項１８】
携帯端末に設置されたカメラを開放させるための開口が形成され、内部に空間部が形成され、内側面に第１固定溝及び第２固定溝が形成されているケース部材と、
前記空間部から摺動して前記開口を開閉するためのブレードと、
前記空間部から回動して前記ブレードを直線移動させ、前記第１固定溝または前記第２固定溝に選択的に連結されて所定の弾性力により前記ブレードが前記開口を閉鎖した状態と開放した状態を保持させるための弾性突起を有する回動レバーと、
を含んでなる小型カメラ用保護装置。
【請求項１９】
前記ケース部材には前記ブレードが好適な直線運動をするように案内するためのガイド面が形成されていることを特徴とする請求項１８記載の小型カメラ用保護装置。
【請求項２０】
前記ブレードは互いに接近及び離間して前記開口の半分を開閉する一対からなることを特徴とする請求項１８記載の小型カメラ用保護装置。
【請求項２１】
前記ブレードにはカム突起が形成され、
前記回動レバーにはカム突起に連結され、前記回動レバーの回動動作を前記ブレードが直線に移動する動作に切り替えるためのカム溝が形成されていることを特徴とする請求項１８〜２０のいずれか一つに記載の小型カメラ用保護装置。
【請求項２２】
前記回動レバーには前記ケース部材の外側に突出する把持部が形成されていることを特徴とする請求項１８記載の小型カメラ用保護装置。
【請求項２３】
前記回動レバーにはラウンド面が形成され、前記ケース部材には前記ラウンド面に接触して前記回動レバーが好適に回動されるようにするためのガイドリブが形成されていることを特徴とする請求項１８記載の小型カメラ用保護装置。
【請求項２４】
前記ケース部材は両面テープにより前記携帯端末に固定されていることを特徴とする請求項１８記載の小型カメラ用保護装置。
【請求項２５】
携帯端末用カメラのレンズの前方部に設置されてカメラの内部への異物の侵入を防止するための小型カメラ用保護装置において、
前記カメラのレンズの前方に設置され、前記レンズの前方を開放させるための第１開口を有するシールド板と、
摺動して前記第１開口を開閉し、カム突起を有するブレードと、
前記シールド板に回動可能に連結され、前記レンズの前方を開放させるための第２開口が回動中心に形成され、前記カム突起と連結されるように形成されて自体回動の時前記カム突起を移動させて前記ブレードを開閉させるためのカム孔を有する回動盤と、
前記第２開口に一致する第３開口が形成され、前記回動盤を回動自在に前記シールド板に連結させるためのカバーと、
前記シールド板または前記回動盤のいずれか一方に固定されるコアと、
前記コアに巻回されて電源の印加時に前記コアを電磁石に作るためのコイルと、
前記コイルに電源を供給するための制御部と、
前記シールド板または前記回動盤のうち前記コアが固定されなかった側に固定されて前記コアに向けて磁場を発生させるためのマグネットと、
を含んでなる小型カメラ用保護装置。
【請求項２６】
前記カバーには前記カム突起が直線的に移動するように案内するためのガイド孔が形成されていることを特徴とする請求項２５記載の小型カメラ用保護装置。
【請求項２７】
前記ブレードは対称的に配置された一対よりなり、前記カム突起及び前記カム孔もそれぞれ一対からなることを特徴とする請求項２５記載の小型カメラ用保護装置。
【請求項２８】
前記マグネットは前記コアの両側にそれぞれ配置される一対からなることを特徴とする請求項２５記載の小型カメラ用保護装置。
【請求項２９】
前記回動盤には前記コアを介して両側に流動可能な空間を有する切開部が形成され、前記切開部の両端部には前記マグネットが挿入される挿入孔が形成されていることを特徴とする請求項２５記載の小型カメラ用保護装置。
【請求項３０】
カメラが設置された携帯端末に固着され、前記カメラを開閉するための開放部が形成されており、内部に空間部が形成されたカバー部材と、
前記カバー部材の内部に装着されて前記開放部を開閉するように摺動するブレードと、
前記空間部に配置されて前記ブレードとカバー部材とを連結するバネとを含み、
前記ブレードは、前記バネによって半自動的に開閉されることを特徴とする小型カメラ
用保護装置。
【請求項３１】
前記バネはねじりバネであることを特徴とする請求項３０記載の小型カメラ用保護装置。
【請求項３２】
前記バネは前記ブレードが開放または閉鎖されたとき、移動中よりもさらに弛緩されるように装着されることを特徴とする請求項３０又は３１記載の小型カメラ用保護装置。
【請求項３３】
前記ブレードにはガイド突起が突設され、
前記カバー部材の内側面には前記ガイド突起が挿入されて移動するガイド孔が形成されていることを特徴とする請求項３０記載の小型カメラ用保護装置。
【請求項３４】
カメラが設置された携帯端末に固着され、前記カメラを開閉するための開放部が形成されており、内部に空間部が形成されているカバー部材と、
前記カバー部材の内部に装着されて前記開放部を開閉するように摺動するブレードと、
前記カバー部材の内面に装着されて前記ブレード背面と当接する板バネとを含み、
前記板バネの両側には前記ブレードの方向に突出部が形成されていることを特徴とする小型カメラ保護装置。
【請求項３５】
前記板バネの両側には弾性部が切開形成され、
前記弾性部に前記突出部が形成されていることを特徴とする請求項３４記載の小型カメラ保護装置。
【請求項３６】
前記ブレードの背面には前記突出部に対応される収容溝が形成されていることを特徴とする請求項３４又は３５記載の小型カメラ保護装置。
【発明の詳細な説明】
【技術分野】
【０００１】
本発明は小型カメラ用保護装置に関する。より詳細には、小型カメラの開放部に設置されて、撮像機能を用いるときだけに開放部を開放し、撮像機能を用いないときには開放部を閉鎖することで、カメラの内部に異物が侵入することを効率よく防止する装置に関する。
【背景技術】
【０００２】
通常、携帯電話のような小型の通信機器には小型のカメラが装着されて被写体の映像を撮影する機能をする。
従来、このような小型カメラとしては、単焦点方式のカメラが使用されている。
【０００３】
単焦点方式のカメラにおいては、被写体の映像が透過される多数のレンズと、透過された映像を撮像するためのイメージセンサなどとが一体形に固定されていた。
このようなカメラの場合には、すべての構成要素がケースの内部に固定されている状態で外部と遮断され、最前方のレンズだけが外部に表出していた。
【０００４】
従って、最前方のレンズだけに埃が付着して、イメージセンサに撮像される映像の画質を低下させる虞があり、ユーザが最前方のレンズを掃除することにより鮮明な画質の映像を得ることができた。
【０００５】
ところが、最近はユーザの要求によって小型カメラにもオートフォーカシングおよびズームの機能が追加された。
このようなオートフォーカシングおよびズームを実行するためには、レンズ同士の間隔及びレンズとイメージセンサとの間隔を調整する必要があるので、各レンズを機械的に駆動させなければならなかった。
【０００６】
従って、かかる機能性小型カメラは内部に複雑な駆動部が実装されるため、過去の単焦点方式の小型カメラのように内部を閉鎖させることが不可能であった。
よって、光を通過させるべく開放される開放部を介してカメラの内部へ異物が侵入し、この異物が駆動部の部品の動作性能を低下させることになった。特にイメージセンサに微細な埃が付着する場合、レンズへの異物付着とは比較することができないほどに、甚だしい画質低下をもたらした。また、イメージセンサに埃が付着すると、その埃を除去することが不可能であり、ひいてはカメラ全体の使用が不可能になる虞があった。
【０００７】
従って、カメラの内部へ異物が侵入するに先立ち、開放部において異物を遮断する装置が懸案されている。
【発明の開示】
【発明が解決しようとする課題】
【０００８】
本発明は前述した問題点を鑑みてなされたものであり、その目的は小型カメラの開放部に設置されて、撮像機能を用いるときだけに開放部を開放し、撮像機能を用いない際には開放部を閉鎖することで、カメラの内部へ異物が侵入することを効率よく防止することにある。
【課題を解決するための手段】
【０００９】
前記の目的を達成するために、本発明は第１実施形態において、小型カメラのレンズの前方部に設置されてカメラの内部へ異物が侵入することを防止するための小型カメラ用保
護装置において、カメラのレンズの前方に設置され、前記レンズの前方を開放させるためのスライド空間部を有するシールドフレームと、前記スライド空間部からスライドして前記レンズの前方を開閉し、突起を有するブレードと、前記シールドフレームに回動可能に連結され、前記レンズの前方を開放させるための中心孔が回動中心に形成され、前記突起と連結されるように形成されて自体回動時前記突起を移動させて前記ブレードを開閉させるためのカム溝を有する回動レバーと、を含んでなる小型カメラ用保護装置を提供する。
【００１０】
また、第２実施形態に係る本発明は、携帯端末に固定され、前記携帯端末に設置されたカメラを開放するための開放部が形成され、内部に空間部が形成されたカバー部材と、前記空間部に摺動可能に設置されて前記開放部を開閉するためのブレードと、前記空間部に摺動可能に設置されて前記ブレードを移動させるためのスライドレバーとを含み、
前記スライドレバーには突起が形成され、前記ブレードには前記突起が嵌合される傾斜溝が形成され、前記スライドレバーが直線運動する場合、前記突起は前記傾斜溝を押して前記ブレードが前記スライドレバーの運動方向と直角になる方向に移動することを特徴とする小型カメラ用保護装置を提供する。
【００１１】
また、第３実施形態に係る本発明は、携帯端末に設置されたカメラを開放させるための第１開口が形成された前面カバーと、前記前面カバーに軸支持されて回動動作により前記第１開口を開閉するためのブレードと、回動動作により前記ブレードを回動させるための回動レバーと、前記ブレードの回動範囲を制限して前記回動レバーが好適に回動されるように案内するためのガイドフレームと、前記前面カバーとともに前記ブレードと前記回動レバー及び前記ガイドフレームの両面を保護し、前記第１開口に対応される第２開口が形成され、前記携帯端末に連結される背面カバーと、を含んでなる小型カメラ保護装置を提供する。
【００１２】
さらに、第４実施形態に係る本発明は、携帯端末に設置されたカメラを開放させるための開口が形成され、内部に空間部が形成され、内側面に第１固定溝及び第２固定溝が形成されているケース部材と、前記空間部から摺動して前記開口を開閉するためのブレードと、前記空間部から回動して前記ブレードを直線移動させ、前記第１固定溝または前記第２固定溝に選択的に連結されて所定の弾性力により前記ブレードが前記開口を閉鎖した状態と開放した状態を保持させるための弾性突起を有する回動レバーと、を含んでなる小型カメラ用保護装置を提供する。
【００１３】
また、第５実施形態に係る本発明は、携帯端末用カメラのレンズの前方部に設置されてカメラの内部への異物の侵入を防止するための小型カメラ用保護装置において、前記カメラのレンズの前方に設置され、前記レンズの前方を開放させるための第１開口を有するシールド板と、摺動して前記第１開口を開閉し、カム突起を有するブレードと、前記シールド板に回動可能に連結され、前記レンズの前方を開放させるための第２開口が回動中心に形成され、前記カム突起と連結されるように形成されて自体回動の時前記カム突起を移動させて前記ブレードを開閉させるためのカム孔を有する回動盤と、前記第２開口に一致する第３開口が形成され、前記回動盤を回動自在に前記シールド板に連結させるためのカバーと、前記シールド板または前記回動盤のいずれか一方に固定されるコアと、前記コアに巻回されて電源の印加時に前記コアを電磁石として機能させるためのコイルと、前記コイルに電源を供給するための制御部と、前記シールド板または前記回動盤のうち前記コアが固定されなかった側に固定されて前記コアに向けて磁場を発生させるためのマグネットと、を含んでなる小型カメラ用保護装置を提供する。
【００１４】
また、第６実施形態に係る本発明は、カメラが設置された携帯端末に固着され、前記カメラを開閉するための開放部が形成されており、内部に空間部が形成されたカバー部材と、前記カバー部材の内部に装着されて前記開放部を開閉するように摺動するブレードと、
前記空間部に配置されて前記ブレードとカバー部材とを連結するバネとを含み、前記ブレードは、前記バネによって半自動的に開閉されることを特徴とする小型カメラ用保護装置を提供する。
【００１５】
さらに、第７実施形態に係る本発明は、カメラが設置された携帯端末に固着され、前記カメラを開閉するための開放部が形成されており、内部に空間部が形成されているカバー部材と、前記カバー部材の内部に装着されて前記開放部を開閉するように摺動するブレードと、前記カバー部材の内面に装着されて前記ブレード背面と当接する板バネとを含み、前記板バネの両側には前記ブレードの方向に突出部が形成されていることを特徴とする小型カメラ保護装置を提供する。
【発明の効果】
【００１６】
本発明の保護装置は、撮像機能を用いるときだけに開放部を開放し、撮像機能を用いないときには開放部を閉鎖することで、カメラの内部への異物の侵入を防止することができるという効果がある。
【発明を実施するための最良の形態】
【００１７】
次に、添付図面を参照して本発明を実施例により詳細に説明する。但し、これらの実施例は本発明を例示するためのもので、本発明の範囲を制限するものではない。
まず、第１実施例について説明する。
【００１８】
図１は本発明の第１実施例に係る保護装置の分解斜視図で、図２は図１に示した保護装置の他の角度から見た分解斜視図であり、図３は図１に示した保護装置の組立て状態における内部を透明に示した斜視図である。
【００１９】
同図に示された保護装置は、小型カメラのレンズの前方部に設置されてカメラの内部への異物の侵入を防止するための小型カメラ用保護装置として使われる。
このような保護装置は、カメラのレンズの前方部に設置され、レンズの前方を開放させるためのスライド空間部１２を有するシールドフレーム１０と、スライド空間部１２から摺動してレンズの前方を開閉し、突起を有するブレードと、シールドフレーム１０に回動可能に連結され、レンズの前方を開放させるための中心孔３２が回動中心に形成され、突起と連結されるように形成されて自転時に突起を移動させてブレードを開閉させるためのカム溝を有する回動レバー３０とで構成される。
【００２０】
前記ブレードは、互いに対称的に設置される第１ブレード２０と第２ブレード２４とからなり、前記突起は前記第１ブレード２０に形成される第１突起２２と、前記第２ブレード２４に形成される第２突起２６とからなる。また、前記カム溝も前記第１突起２２に連結される第１カム溝３６と、前記第２突起２６に連結される第２カム溝３８とからなる。
【００２１】
このように２つのブレードを用いることによって、レンズが従来品の２倍の速度で開閉される。さらに、第１ブレード２０及び第２ブレード２４を半分割した形状としたため、各ブレードサイズが減少され、狭い空間に設置可能になる。
【００２２】
一方、回動レバー３０には係止溝３４が形成され、シールドフレーム１０に形成されたガイドリブ１４が係止溝３４に係合され、回動レバー３０の回動角度を制限する。
また、前記回動レバー３０にはユーザが手で押すことができるように突き出された把持部４０が形成される。
【００２３】
このような保護装置は、シールドフレーム１０に装着されたブレードの離脱を防止するためのカバー部材を備える。
前記カバー部材は、シールドフレーム１０の上方において回動レバー３０の離脱を防止するための第１カバー５０と、前記シールドフレーム１０の下方において第１ブレード２０及び第２ブレード２４の離脱を防止するための第２カバー６０とからなる。前記第１カバー５０及び前記第２カバー６０にはレンズの前方部を開放するための第１開口５２及び第２開口６２が形成される。
【００２４】
このような保護装置は携帯電話などに装着される小型のカメラの前方に設置されて、レンズ部へ異物が侵入することを防止する。
以下、前述のような構成を有する保護装置の作用について説明する。
【００２５】
図４は本実施例に係る保護装置のクローズ状態を示す斜視図であり、図５は図４のブレードのオープン状態を示す斜視図である。
前記保護装置は、通常第１ブレード２０及び第２ブレード２４がレンズの前方を閉鎖するため、撮影ができない状態を維持する。
【００２６】
カメラの使用時にはカメラに装着された保護装置を開放する必要がある。このためにユーザが指で回動レバー３０の把持部４０を押せば、回動レバー３０が回動しながら第１カム溝３６及び第２カム溝３８が第１突起２２及び第２突起２６を水平移動させて、第１ブレード２０及び第２ブレード２４を開放方向に移動させる。前記第１カム溝３６及び第２カム溝３８は、回動レバー３０の回動運動を第１ブレード２０及び第２ブレード２４の直線運動に切り替える。
【００２７】
これによって、第１ブレード２０及び第２ブレード２４が互いに離間し、開放されたスライド空間部１２によりレンズが開放される。この開放されたスライド空間部１２を介して光がカメラのレンズに入るため、撮影の機能を使用し得るようになる。
【００２８】
一方、カメラの不使用時には、把持部４０を前記とは逆方向に回動させる。これによって、第１ブレード２０及び第２ブレード２４がスライド空間部１２を閉鎖し、レンズに入る光を遮断する。
【００２９】
このようにスライド空間部１２が閉鎖されると、小型カメラの内部が閉鎖され、これによって小型カメラ内への異物の侵入が防止される。
【００３０】
次に、添付図面を参照して本発明の第２実施例について説明する。
図６は本発明の第２実施例に係る携帯端末の斜視図であり、図７は図６に示した保護装置の分解斜視図であり、図８は図６に示した保護装置の他の角度から見た分解斜視図である。
【００３１】
本実施例の保護装置１００は、携帯端末２００に固定され、前記携帯端末２００に設置されたカメラ２０２を開放するための開放部が形成されており、内部に空間部が形成されているカバー部材と、空間部に摺動するように設置されて開放部を開閉するためのブレード１３０と、空間部に摺動するように設置されてブレード１３０を移動させるためのスライドレバー１４０とで構成される
前記カバー部材はカメラ２０２を開放させるための第１開放部１１２が形成されている前面カバー１１０と、前記第１開放部１１２に対応される第２開放部１２２が形成された背面カバー１２０とからなる。前記前面カバー１１０には多数の第１連結リブ１１４が形成され、前記背面カバー１２０には第１連結リブ１１４に連結される第１連結リヴと同数の第２連結リブ１２６が形成される。前記前面カバー１１０と前記背面カバー１２０との間にはスライドレバー１４０及びブレード１３０が設置される空間部が形成される。
【００３２】
前記スライドレバー１４０には突起１４２が形成され、前記ブレード１３０には突起１４２が嵌入される傾斜溝１３２が形成される。従って、スライドレバー１４０が直線運動するときに突起１４２は傾斜溝１３２に案内されてブレード１３０がスライドレバー１４０の運動方向と直角になる方向に移動するようになる。前記傾斜溝１３２は突起１４２がブレード１３０を無理なく移動させ得る程度の角度を持たなければならない。
【００３３】
前記スライドレバー１４０の一面には第１ガイドリブ１４４が形成され、他面には第２ガイドリブ１４８が形成される。また、前記前面カバー１１０には前記第１ガイドリブ１４４が直線運動するように案内するための第１ガイド溝が形成され、前記背面カバー１２０には前記第２ガイドリブ１４８が直線運動するように案内するための第２ガイド溝１２４が形成される。
【００３４】
前記スライドレバー１４０には前記カバー部材の外側には把持部１４６が突出するように形成される。このためには前記前面カバー１１０と前記背面カバー１２０との間が一部開放されなければならない。
【００３５】
前記前面カバー１１０の両側には互いに対称する係止突起１１８が形成されて、前記スライドレバー１４０にはスライドレバー１４０の初期位置及び移動した位置において係止突起１１８が嵌入される凹部１５０及び係止突起１１８を弾性保持するための弾性リブ１５２がそれぞれ形成される。
【００３６】
前記カバー部材は両面テープ１６０等の接着手段を用いて携帯端末２００に固定されることができる。また、カバー部材は締結手段や融着手段などを用いて携帯端末２００に固定されることもできる。
【００３７】
このような保護装置１００が携帯端末２００に装着されれば、通常カメラ２０２のレンズに異物が付着するしたり、カメラ２０２の内部へ異物が侵入しらりすることが防止される。
【００３８】
次に、前述のような構成を有する保護装置の作用について説明する。
図９は図６に示した保護装置の使用時の初期状態を示す斜視図であり、図１０は図９でブレードが一部開放された状態を示す斜視図であり、図１１は図１０においてブレードが完全に開放された状態を示す斜視図である。
【００３９】
保護装置１００は、通常ではブレード１３０が第１開放部１１２と第２開放部１２２との間を遮断して携帯端末２００に設置されたカメラ２０２及びフラッシュ２０４を遮断する。従って、この状態ではカメラ２０２を撮影に使用することは不可能である。
【００４０】
この時、前記前面カバー１１０の一側の係止突起１１８がスライドレバー１４０の一側の凹部１５０に挿入されると、弾性リブ１５２によって押圧された状態を保持する。従って、前記スライドレバー１４０及び前記ブレード１３０が所定のバネ力によって固定される。
【００４１】
一方、カメラ２０２の使用時には、カメラ２０２に装着された保護装置１００を開放する必要がある。このためにユーザが指で把持部１４６を図４の状態から右側に押せば、スライドレバー１４０が右側に移動し、突起１４２が傾斜溝１３２内壁に力を加えることになる。
【００４２】
従って、ブレード１３０がスライドレバー１４０と直交する方向に移動して図  １０のような状態を経て図１１のように第１開放部１１２及び第２開放部１２２を完全に開放す
る。従って、カメラ２０２及びフラッシュ２０４が露出してカメラ２０２の使用が可能になる。
【００４３】
この時、前面カバー１１０の一側の係止突起１１８がスライドレバー１４０の一側の凹部１５０に挿入されて弾性リブ１５２によって押圧されてスライドレバー１４０及びブレード１３０が開放された状態を保持する。
【００４４】
一方、カメラ２０２の非使用時においては、把持部１４６を前記と逆方向に移動させれば、スライドレバー１４０とブレード１３０とが逆方向に移動する。
このようにして第１開放部１１２及び第２開放部１２２が閉鎖されると、カメラ２０２の及びフラッシュ２０４が閉鎖されて異物の侵入が防止される。
【００４５】
次に、添付図面を参照して本発明の第３実施例について説明する。
図１２は本発明の第３実施例に係る保護装置の分解斜視図であり、図１３は図１２に示した保護装置の他の角度から見た分解斜視図である。
【００４６】
同図に示された保護装置は、携帯端末に搭載されたカメラを開放するための第１開口２１２を有する前面カバー２１０と、同前面カバー２１０に軸支されて枢動により前記第１開口２１２を開閉するためのブレード２３０と、回動動作により前記ブレード２３０を回動させるための回動レバー２４０と、前記ブレード２３０の回動範囲を制限して回動レバー２４０が好適に回動されるように案内するためのガイドフレーム２５０と、前記前面カバー２１０とともに前記ブレード２３０と前記回動レバー２４０及びガイドフレーム２５０の両面を保護し、前記第１開口２１２に対応する第２開口２２２を備え、かつ携帯端末に連結される背面カバー２２０とから構成される。
【００４７】
前記前面カバー２１０には一対の中心軸２１４が形成され、同じく一対の前記ブレード２３０にはそれぞれ前記中心軸２１４が挿通される回動孔２３４が形成される。
前記ブレード２３０互いに離間及び接近して、各ブレードが第１開口２１２の半分を開閉する。前記一対のブレード２３０を使うことによって１つのブレード２３０を用いる場合に比べて第１開口２１２の開閉速度が倍速する。
【００４８】
前記ブレード２３０にはカム突起２３２が形成され、前記回動レバー２４０には、カム突起２３２に連結され、前記回動レバー２４０の回動動作をブレード２３０が第１開口２１２を開閉する回動動作に切り替えるためのカム溝２４４が形成されている。
【００４９】
前記回動レバー２４０には、第１開口２１２に対応する第３開口２４２が形成され、外側に突出する把持部２４６が形成されている。
前記前面カバー２１０または背面カバー２２０のうちいずれか一方には残りの構成要素を連結させるための連結リブ２１６が形成される。
【００５０】
前記背面カバー２２０は両面テープ等の接着手段を用いて携帯端末に固定されることができる。また、前記背面カバー２２０は締結手段や融着手段などを用いて携帯端末に固定されることができる。
【００５１】
このような保護装置が携帯端末に装着されれば、通常カメラのレンズに異物が付着したり、カメラの内部へ異物が侵入したりすることが防止される。
次に、前記のような構成を有する保護装置の作用について説明する。
【００５２】
図１５は図１２に示した保護装置の使用時の動作変化を示す斜視図であり、図１５は図１４に示した保護装置の使用時各部材の動作変化を透明に示す平面図である。
保護装置は通常、図１４及び図１５における一番目の図面のようにブレード２３０が第１開口を遮断することで携帯端末に設置されたカメラを閉鎖するようになる。従って、この状態ではカメラを撮影目的で使用することは不可能である。
【００５３】
一方、カメラの使用時には保護装置を開放してカメラを露出させる必要がある。このためにユーザが指で把持部２４６を図１４のように左側に押せば、回動レバー２４０が左側に回動し、カム突起２３２がブレード２３０のカム溝２４４内に力を加える。
【００５４】
従って、ブレード２３０が図１４及び図１５の二番目の図面のような状態を経て三番目の図面のように第１開口２１２を完全に開放する。これによって、カメラが露出してカメラの使用が可能になる。
【００５５】
この時、ガイドフレーム２５０の内側面２５２は、ブレード２３０の過剰な回動を制限するとともに、回動レバー２４０の好適な回動を保障するようにガイドする。
一方、カメラの不使用時には把持部２４６を前記と逆方向に移動させれば、回動レバー２４０とブレード２３０が逆方向に移動する。
【００５６】
このようにして第１開口２１２が閉鎖されれば、カメラが閉鎖されて異物の侵入が防止される。
【００５７】
次に、添付図面を参照して本発明の第４実施例について説明する。
図１６は本発明の第４実施例に係る保護装置及び携帯端末を示す斜視図であり、図１７は図１６に示した保護装置を示す分解斜視図であり、図１８は図１７に示した保護装置を他の角度から見た分解斜視図である。
【００５８】
同図に示された保護装置３００は、携帯端末４００に設置されたカメラ４１０を開放させるための開口が形成され、内部に空間部が形成され、内側面に第１固定溝３１４及び第２固定溝３１６が形成されているケース部材と、前記空間部から摺動して開口を開閉するためのブレード３３０と、前記空間部から回動して前記ブレード３３０を直線移動させて、前記第１固定溝３１４または前記第２固定溝３１６に選択的に嵌合されることにより、所定の弾性力でブレード３３０を移動させて開口の閉鎖状態と開放状態と選択的にを保持させるための弾性突起３６０を有する回動レバー３４０とで構成される。
【００５９】
前記ケース部材はカメラ４１０を開放するための第１開口３１２が形成された前面カバー３１０と、前記第１開口３１２に対応する第２開口３２２が形成された背面カバー３２０とからなり、前記前面カバー３１０に多数の連結リブ３１８が形成されて背面カバー３２０と連結される。
【００６０】
前記前面カバー３１０には一対のブレード３３０が好適な直線運動をするように案内するためのガイド面３１３が形成されている。
前記ブレード３３０は互いに接近または離間して、各ブレードが開口の半分を開閉する。前記一対のブレード３３０を用いることによって１つのブレード３３０を用いることに比べて第１開口３１２の開閉が倍速される。
【００６１】
前記ブレード３３０にはカム突起３３２が形成され、前記回動レバー３４０にはカム突起３３２を受承して、回動レバー３４０の回動動作をブレード３３０の直線動作に切り替えるためのカム溝３４４が形成される。
【００６２】
前記回動レバー３４０にはケース部材の外側には把持部３４６が突出形成される。
前記回動レバー３４０にはラウンド面３５０が形成され、前記背面カバー３２０にはラ
ウンド面３５０に当接して前記回動レバー３４０が好適に回動されるようにするためのガイドリブ３２４が形成される。
【００６３】
また、両面テープ等の接着手段を用いて背面カバー３２０を携帯端末４００に固定することができる。また、前記背面カバー３２０は締結手段や融着手段などを用いて携帯端末４００に固定することもできる。
【００６４】
このような保護装置３００が携帯端末４００に装着されれば通常、カメラ４１０のレンズとフラッシュ４２０に異物が付着したり、カメラ４１０の内部へ異物が侵入したりすることが防止される。
【００６５】
次に、前記のような構成を有する保護装置の作用について説明する。
図１９は図１６に示した保護装置の使用時の動作変化を示す斜視図であり、図２０は図１９に示した保護装置の使用時の各部材の動作変化を透明に示す平面図である。
【００６６】
保護装置３００は通常、図１９及び図２０の一番目の図面のようにブレード３３０が第１開口３１２を遮断することで携帯端末４００に設置されたカメラ４１０を閉鎖するようになる。従って、この状態ではカメラ４１０を撮影目的で使用する不可能である。
【００６７】
この時、回動レバー３４０の弾性突起３６０は前面カバー３１０の第１固定溝３１４に嵌合されて、所定の弾性力により回動レバー３４０の回動を抑制して、」ブレード３３０による第１開口３１２の閉鎖状態を保持させる。
【００６８】
一方、カメラ４１０の使用時には、保護装置３００を開放してカメラ４１０を露出させなければならない。このために、ユーザが指で把持部３４６を図１９における左側に押圧すれば、回動レバー３４０が左側に回動し、カム突起３３２がブレード３３０のカム溝３４４の内壁に押圧力を作用させる。
【００６９】
従って、ブレード３３０が図１９及び図２０の二番目の図面のような状態を経て三番目の図面のように第１開口３１２を完全に開放する。これによって、カメラ４１０及びフラッシュ４２０が露出してカメラ４１０の使用が可能になる。
【００７０】
この時、前記前面カバー３１０のガイド面３１３はブレード３３０の側面をガイドしてブレード３３０が好適に直線運動できるようにする。また、背面カバー３２０のガイドリブ３２４は回動レバー３４０のラウンド面３５０に当接して回動レバー３４０が好適に回動運動できるようにする。
【００７１】
さらに、回動レバー３４０の弾性突起３６０は前面カバー３１０の第２固定溝３１６に嵌合されて、所定の弾性力で回動レバー３４０の回動を抑制することでブレード３３０が第１開口３１２を開放する状態を維持する。
【００７２】
一方、カメラ４１０の非使用時には、把持部３４６を前記と逆方向に移動させれば、回動レバー３４０とブレード３３０が逆方向に移動する。
このようにして第１開口３１２が閉鎖されれば、カメラ４１０が閉鎖されて異物の侵入が防止される。
【００７３】
次に、添付図面を参照して本発明の第５実施例について説明する。
図２１は本発明の第５実施例に係る保護装置を示す分解斜視図であり、図２２は図２１に示した保護装置の他の角度から見た分解斜視図である。
【００７４】
同図に示された保護装置は、携帯端末用カメラのレンズの前方に設置されてカメラの内部への異物の侵入を防止すべく、小型カメラの保護を目的に使用される。
該カメラ用保護装置は、カメラのレンズの前方に設置され、レンズの前方を開放させるための第１開口５１２を有するシールド板５１０と、スライド動作により第１開口５１２を開閉し、カム突起５２２を有するブレード５２０と、前記シールド板５１０に回動可能に連結され、レンズの前方を開放させるための第２開口５３２が回動中心に形成され、カム突起５２２と連結されるように形成されて自転時にカム突起５２２を移動させてブレード５２０を開閉させるためのカム孔５３６を有する回動盤５３０と、第２開口５３２に一致する第３開口５５２が形成され、回動盤５３０を回動自在にシールド板５１０に連結させるためのカバー５５０と、シールド板５１０に固定されるコア５４０と、前記コア５４０に巻回されて電源印加時にコア５４０を電磁石として作用させるためのコイル５４２と、前記コイル５４２に電源を供給するための制御部と、及び回動盤５３０に固定されてコア５４０に向けて磁場を発生させるためのマグネット５４４とを含んでなる。
【００７５】
前記ブレード５２０は対称的に配置された一対が設けられ、前記カム突起５２２及びカム孔５３６もそれぞれ一対からなる。
このように二つのブレード５２０を用いることによってレンズの開閉が倍速される。また、二つのブレード５２０の使用により、それぞれのブレード５２０の大きさを半分で減らすことができ、これにより狭い空間に設置可能になる。
【００７６】
前記カバー５５０にはカム突起５２２が直線的に移動するように案内するためのガイド孔５５４が形成される。
前記マグネット５４４はコア５４０の両側にそれぞれ一対が配置される。従って、前記各マグネット５４４はコア５４０の各々の側面に当接する範囲だけに限って移動でき、これによって回動盤５３０の回動角度が制限される。
【００７７】
前記各マグネット５４４は同じ極性同士が対向するように配置される。前記コア５４０は両端部がそれぞれ異なる極性を有することになるので、コア５４０は両側のマグネット５４４のうちいずれか一方から引力を受け、他方から斥力を受けるようになる。従って、回動盤５３０に加えられる回動力が倍加される。
【００７８】
前記回動盤５３０にはコア５４０を介して両側へ流動することができる空間を有する切開部５３７が形成され、前記切開部５３７の両端部にはマグネット５４４が挿入される挿入孔５３８が形成される。
【００７９】
このような保護装置は携帯電話などに装着される小型のカメラの前方に設置されて、レンズ部への異物の侵入を防止する。
コイル５４２に電源を印加するための制御部は携帯電話の本体に内蔵される。
【００８０】
次に、前記のような構成を有する保護装置の作用について説明する。
通常、保護装置は一対のブレード５２０がレンズの前方を閉鎖することで撮像ができない状態を保持する。
【００８１】
図２３は図２１に示した保護装置のコアが一方向のマグネットに取り付けられた状態の断面図であって、図２４は図２３の部分拡大図である。
また、カメラの使用時にはカメラに装着された保護装置を開放する必要がある。このために制御部からコイル５４２に電源を印加してコア５４０を励磁する。
【００８２】
図２５は図２３に示したコアが移動する途中の断面図であって、図２６は図２５の部分拡大図である。
前記コア５４０が励磁されれば、一側はＮ極が形成され、他側はＳ極が形成される。そして両側のマグネット５４４がコア５４０に向けた側がＮ極であれば、コア５４０のＳ極の前方に位置したマグネット５４４がコア５４０側に引かれ、反対側のマグネット５４４は前方のコア５４０と同じ極性なので互いに押すようになる。
【００８３】
従って、回動盤５３０が回動しながらカム孔５３６がカム突起５２２を水平移動させてブレード５２０を開放方向に移動させる。前記カム孔５３６は回動盤５３０の回動運動をブレード５２０の直線運動に切り替える。カバー５５０のガイド孔５５４はカム突起５２２が直線運動し得るようにガイドする。
【００８４】
図２７は図２３に示したコアが反対側のマグネットに取り付けられた状態を示す断面図であり、図２８は図２７の部分拡大図である。
一対のブレード５２０が互いに離間する方向に移動して、第１開口５１２すなわちレンズを開放し、開放された第１開口５１２を介して光がカメラのレンズに入ってカメラの撮像が行われる。
【００８５】
一方、カメラの非使用時には、制御部がコイル５４２に逆方向の電流を印加する。これによってコア５４０の極性が逆になって、反対側のマグネット５４４がコア５４０に取り付けられる。
【００８６】
これによって、一対のブレード５２０がレンズを閉鎖する動作は前述の開放過程と逆の順序で行われる。
この状態で、コイル５４２に電流を供給しなくてもコア５４０はマグネット５４４に取り付けられた状態を保持する。
【００８７】
このように第１開口５１２が閉鎖されれば、携帯端末用カメラの内部が閉鎖されて携帯端末用カメラ内への異物の侵入が防止される。
【００８８】
次に、添付図面を参照して本発明の第６実施例について詳細に説明する。
図２９は本発明の第６実施例に係るカメラ保護装置の一方向からの分解斜視図で、図３０は本発明の第６実施例に係るカメラ保護装置の他方向からの分解斜視図であり、図３１は本発明の第６実施例に係るカメラ保護装置の作動状態を示した作動状態図であり、図３２は図３１の作動過程における内部構造の状態を示した内部構造図であり、図３３は本発明の第６実施例に係るカメラ保護装置の装着状態を示した斜視図である。
【００８９】
同図に示したように、本発明の携帯端末６５０のカメラ保護装置はカバー部材と、ブレード６３０と、バネ６４０とを含む。
前記カバー部材は、カメラが設置された携帯端末６５０に対して固着されてカメラの前方を開閉する。より詳しくは、カバー部材は前記カメラを開閉するために、携帯端末６５０のカメラの前方に設置され、開放部６１２、６２２が形成されて携帯端末６５０に設置されたカメラを開閉する。
【００９０】
前記カバー部材の内部には前記ブレード６３０及びバネ６４０に挿入されるための空間部が形成されている。
前記カバー部材は、一つの部材で一体に形成してもよいが、製作及び組み立て易さのために２つの部材に分離して相互連結させた。
【００９１】
すなわち、前記カバー部材は図２９及び図３０に示されているように、前方カバー６１０と後方カバー６２０とからなる。
前記前方カバー６１０及び後方カバー６２０には、それぞれ開放部６１２、６２２が形
成されており、前記開放部６１２、６２２には携帯端末６５０に装着されたカメラが配置される。
【００９２】
前記ブレード６３０はカバー部材の内部に装着されて、スライドして開放部６１２、２２を開閉するものであって、換言すればブレード６３０が開放部６１２、６２２を開閉することにより、携帯端末６５０に搭載されたカメラを開閉することになる。
【００９３】
前記ブレード６３０には前方カバー６１０の方向に突出するレバー６３６が形成され、前記前方カバー６１０にはレバー６３６が貫通するスロット孔６１６が形成されている。
従って、前記ブレード３０は図３１に示されたようにユーザがレバー６３６を掴んでスライドさせることで、前記レバー６３６はスロット孔６１６に沿って摺動する。
【００９４】
図３１ａは前方カバー６１０を正面にして、ブレード６３０の移動によって開放部６１２、６２２が開放される過程を示したもので、図３１ｂは後方カバー６２０を正面にして、ブレード６３０によって開放部６１２、６２２が開放される過程を示したものである。
【００９５】
前記カバー部材の内部、すなわち空間部には前記ブレード６３０とカバー部材とを連結するバネ６４０が装着されている。
前記バネ６４０は前記ブレード６３０と後面カバー６２０との間に配置されて一端が前記カバー部材に固定され、他端が前記ブレード３０に固定される。
【００９６】
このために、前記ブレード６３０及び前方カバー６１０にはバネ６４０の両端が固定される支持突起６１８、６３８がそれぞれ形成され、後方カバー６２０には前方カバー６１０に形成された支持突起６１８が挿入される挿入孔６２８が形成されている。
【００９７】
従って、バネ６４０の一端はブレード６３０と後方カバー６２０との間で前記前方カバー６１０に形成された支持突起６１８に挿入され、他端は前記ブレード６３０の後面に形成された支持突起６３８に挿入固定される。
【００９８】
この時、前記前方カバー６１０に形成された支持突起６１８の長さは、前記ブレード６３０の厚さより大きく、このため前記バネ６４０の他端が前記ブレード６３０と後方カバー６２０との間で挿入固定させ得なければならないことは勿論である。
【００９９】
そして、前記バネ６４０はＭ字形であってよく、ねじりバネ状に形成してもよい。
前記ブレード６３０が前記カバー部材の内部で揺れることなく容易に摺動するために、前記ブレード６３０にはガイド突起６３５が突設されており、前記カバー部材の後方カバー６２０の内側面には前記ガイド突起６３５が挿入されて移動するガイド孔６２６が形成されている。
【０１００】
前記ガイド孔６２６は両側が閉鎖されているため、前記ガイド突起６３５が摺動の際にストッパの役割を同時にすることになる。
図３２ａは前記開放部６１２、６２２が開放された状態を示したものであり、図３２ｂは前記開放部６１２、６２２が閉鎖された状態を示したものである。
【０１０１】
前記バネ６４０は図３２に示したように、前記ブレード６３０が開放または閉鎖された場合が、移動中よりも更に弛緩されるように装着させる。
すなわち、前記バネ６４０は前記ブレード６３０が開放または閉鎖されたとき、両端が傾斜するように配置させる。
【０１０２】
つまり、前記バネ６４０の両端が固定される支持突起６１８、６３８を連結した線が傾
斜するようにする。
前記のような構造によって、図３１及び図３２ａに示されたように、前記カバー部材の開放部６１２、６２２が開放された状態では前記バネ６４０の上端、すなわち前記ブレード６３０に形成された支持突起６３８が前記前面カバー６１０に形成された支持突起６１８より右側に傾斜するように配置される。
【０１０３】
かかる状態でユーザが前記ブレード６３０のレバー６３６を掴んで左に押せば、前記バネ６４０の上端と下端を連結した点線（仮想線）が前記ブレード６３０の移動方向に対して垂直になるときまで前記バネ６４０は圧縮される。
【０１０４】
この状態を超えると、圧縮された前記バネ６４０の弾性復元力によって図３１及び図３２ｂに示されたように、前記ブレード６３０は自動的に前記カバー部材の右側方向に移動して開放部６１２、６２２を閉鎖するようになる。
【０１０５】
すなわち、図３２ｂに示されたように、前記カバー部材の開放部６１２、６２２が閉鎖された状態では前記バネ６４０の上端、すなわち前記ブレード６３０に形成された支持突起６３８が前面カバー６１０に形成された支持突起６１８よりも左側に傾くように配置される。
【０１０６】
この時、前記ブレード６３０に形成されたガイド突起６３５は、前記カバー部材のガイド孔６２６に沿って移動しながら前記ガイド孔６２６を閉鎖された両端に当接してその移動を停止する。
【０１０７】
前記開放部６１２、６２２を開放する場合には、逆方向に前記レバー６３６を移動させることで前記開放部６１２、６２２を開放することができる。
本実施例の携帯端末６５０のカメラ保護装置はユーザが半分くらい押しておけば前記バネ６４０の弾性力によって自動に移動するため、半自動形式で前記カバー部材の開放部６１２、６２２を開閉することができる。
【０１０８】
従って、携帯端末５０に設置されたカメラを使用時のみに開放し普通は閉鎖することで、カメラ内部への異物の侵入やレンズへの異物付着を防止することができるようになる。
また、前記バネ６４０によって半自動的にブレード６３０を移動させることで、ユーザがより容易に開放部６１２、６２２を開閉することができる。
【０１０９】
次に、添付図面を参照して本発明の第７実施例について詳細に説明する。
図３４は本発明の第７実施例に係るカメラ保護装置の一方向からの分解斜視図であり、図３５は本発明の第７実施例に係るカメラ保護装置の他方向からの分解斜視図であり、図３６は本発明の第７実施例に係るカメラ保護装置の作動状態を示した作動状態図で、図３７は図３６の作動過程での内部構造の状態を示した内部構造図であり、図３８は本発明の第７実施例に係るカメラ保護装置の装着状態を示した斜視図である。
【０１１０】
同図に示したように、本発明のカメラ保護装置はカバー部材と、ブレード７３０と、板バネ７４０とにより構成される。
前記カバー部材は図３８に示されたように、カメラが搭載される携帯端末７５０に固着されてカメラの前方を開閉するためのものであって、より詳しくカメラを開閉するために、携帯端末７５０のカメラの前方に設置され、開放部７１２、７２２が形成されて携帯端末７５０に搭載されたカメラを開閉する。
【０１１１】
前記カバー部材の内部には前記ブレード７３０と板バネ７４０に挿入されるための空間部が形成されている。
前記カバー部材は一つの部材で一体に形成してもよいが、製作及び組み立て易さのために２つの部材に分離して相互連結させた。
【０１１２】
すなわち、前記カバー部材は、図３４及び図３５に示したように、前方カバー７１０と後方カバー７２０とからなる。
前記前方カバー７１０及び後方カバー７２０には、それぞれ開放部７１２、７２２が形成されており、前記開放部７１２、７２２の後方には携帯端末７５０に装着されたカメラのレンズが位置される。
【０１１３】
前記ブレード７３０は前記カバー部材の内部に装着されてスライドされながら前記開放部７１２、７２２を開閉するものである。換言すれば、前記ブレード７３０が開放部７１２、７２２を開閉することにより携帯端末７５０に搭載されたカメラが開閉される。
【０１１４】
前記ブレード７３０には前方カバー７１０に向かってレバー７３６が突設されており、前記前方カバー７１０にはレバー７３６が貫通するスロット孔１６が形成されている。
従って、前記ブレード７３０は図３６に示されたように、ユーザが前記レバー７３６を掴んでスライドさせることで、前記レバー７３６は前記スロット孔７１６に沿って摺動する。
【０１１５】
図３６ａは前記前方カバー７１０を正面にして、ブレード７３０の移動によって開放部７１２、７２２が開放される過程を示したものであり、図３６ｂは前記後方カバー７２０を正面にして、ブレード７３０によって開放部７１２、７２２が開放される過程を示したものである。
【０１１６】
前記カバー部材の内部、すなわち空間部には板バネ７４０が装着されているが、前記板バネ７４０はブレード７３０の背面、すなわちレバー７３６が形成された面の反対面と当接するようにカバー部材の後方カバー７２０に装着される。
【０１１７】
前記板バネ７４０の両側には弾性部７４４が切開形成されているが、弾性部７４４は板バネ７４０の両側で３面が切開されたコ字形に形成されて弾性力が付与されている。
前記弾性部７４４にはブレード７３０に向かって突出する突起７４２が形成されている。
【０１１８】
そして、前記ブレード７３０の背面には前記突起７４２に対応する収容溝７３７が形成されている。
従って、前記ブレード７３０はスライドされると、その背面に形成された収容溝７３７に突出部７４２に挿入されるようになる。
【０１１９】
突起７４２は表面が丸みを帯びるように形成されているため、ブレード７３０の摺動の際に突起７４２は収容溝７３７に対して容易に相対移動する。
図３７ａは前記開放部７１２、７２２が閉鎖された状態を示したものであり、図３７ｂは前記開放部７１２、７２２が開放された状態を示したものである。
【０１２０】
図３７に示されたように、ユーザが前記ブレード７３０をスライドさせて前記開放部７１２、７２２を開閉する時、前記収容溝７３７が突起７４２に安着されるので、ユーザがクリック感を感じることができる。このため、前記開放部７１２、７２２の開閉可否をより容易に判断することができる。
【０１２１】
前述のような本発明のカメラ保護装置によって携帯端末７５０に設置されたカメラを使用時だけに開放し、通常は閉鎖することで、カメラの内部へ異物が侵入したり、レンズに
異物が付着したりすることを防止することができる。
【０１２２】
本発明の小型カメラ保護装置は前述した実施例に限定されず、本発明の技術思想が許容される範囲内で多様に変形して実施することができる。
【産業上の利用可能性】
【０１２３】
本発明の保護装置は、携帯電話用カメラのように小型のカメラに設置されて撮像機能を使うときだけにカメラの開放部を開放し、撮像機能を使わない際には開放部を閉鎖することで、カメラの内部へ異物が侵入することを防止する。
【図面の簡単な説明】
【０１２４】
【図１】本発明の第１実施例に係る保護装置の分解斜視図。
【図２】図１に示した保護装置の他の角度から見た分解斜視図。
【図３】図１に示した保護装置の連結状態における内部を透明に示した斜視図。
【図４】図３の外観斜視図。
【図５】図３の使用状態を示す斜視図。
【図６】本発明の第２実施例に係る携帯端末の斜視図。
【図７】図６に示した保護装置の分解斜視図。
【図８】図６に示した保護装置の他の角度から見た分解斜視図。
【図９】図６に示した保護装置の使用時の初期状態を示す斜視図。
【図１０】図９におけるブレードが一部開放された状態の斜視図。
【図１１】図１０におけるブレードが完全開放された状態の斜視図。
【図１２】本発明の第３実施例に係る保護装置の分解斜視図。
【図１３】図１２に示した保護装置の他の角度から見た分解斜視図。
【図１４】図１２に示した保護装置の使用時の動作変化を示す斜視図。
【図１５】図１４に示した保護装置の使用時の各部材の動作変化を透明に示す平面図。
【図１６】本発明の第４実施例に係る保護装置及び携帯端末を示した斜視図。
【図１７】図１６に示した開閉装置の分解斜視図。
【図１８】図１７に示した保護装置の他の角度から見た分解斜視図。
【図１９】図１７に示した保護装置の使用時の動作変化を示す斜視図。
【図２０】図１９に示した保護装置の使用時の各部材の動作変化を透明に示す平面図。
【図２１】本発明の第５実施例に係る保護装置の分解斜視図。
【図２２】図２１に示した保護装置の他の角度から見た分解斜視図。
【図２３】図２１に示した保護装置のコアが一方向のマグネットに取り付けられた状態の断面図。
【図２４】図２３の部分拡大図。
【図２５】図２３に示したコアが移動する途中を示す断面図。
【図２６】図２５の部分拡大図。
【図２７】図２３に示したコアが反対側のマグネットに取り付けられた状態の断面図。
【図２８】図２７の部分拡大図。
【図２９】本発明の第６実施例に係るカメラ保護装置の一方向からの分解斜視図。
【図３０】本発明の第６実施例に係るカメラ保護装置の他方向からの分解斜視図。
【図３１】本発明の第６実施例に係るカメラ保護装置の作動状態を示した作動状態図。
【図３２】図３１の作動過程における内部構造の状態を示した内部構造図。
【図３３】本発明の第６実施例に係るカメラ保護装置の装着状態を示す斜視図。
【図３４】本発明の第７実施例に係るカメラ保護装置の一方向からの分解斜視図。
【図３５】本発明の第７実施例に係るカメラ保護装置の他方向からの分解斜視図。
【図３６】本発明の第７実施例に係るカメラ保護装置の作動状態を示す作動状態図。
【図３７】図３６の作動過程における内部構造の状態を示す内部構造図。
【図３８】本発明の第７実施例に係るカメラ保護装置の装着状態を示す斜視図。
【符号の説明】
【０１２５】
１０…シールドフレーム、１２…スライド空間部、１４…ガイドリブ、２０…第１ブレード、２２…第１突起、２４…第２ブレード、２６…第２突起、３０…回動レバー、３２…中心孔、３４…係止溝、３６…第１カム溝、３８…第２カム溝、５０…第１カバー、５２…第１開口、６０…第２カバー、６２…第２開口、１００…保護装置、１４０…把持部、２００…携帯端末、２０２…カメラ。
【図１】
2009510516.tif 000003
【図２】
2009510516.tif 000004
【図３】
2009510516.tif 000005
【図４】
2009510516.tif 000006
【図５】
2009510516.tif 000007
【図６】
2009510516.tif 000008
【図７】
2009510516.tif 000009
【図８】
2009510516.tif 000010
【図９】
2009510516.tif 000011
【図１０】
2009510516.tif 000012
【図１１】
2009510516.tif 000013
【図１２】
2009510516.tif 000014
【図１３】
2009510516.tif 000015
【図１４】
2009510516.tif 000016
【図１５】
2009510516.tif 000017
【図１６】
2009510516.tif 000018
【図１７】
2009510516.tif 000019
【図１８】
2009510516.tif 000020
【図１９】
2009510516.tif 000021
【図２０】
2009510516.tif 000022
【図２１】
2009510516.tif 000023
【図２２】
2009510516.tif 000024
【図２３】
2009510516.tif 000025
【図２４】
2009510516.tif 000026
【図２５】
2009510516.tif 000027
【図２６】
2009510516.tif 000028
【図２７】
2009510516.tif 000029
【図２８】
2009510516.tif 000030
【図２９】
2009510516.tif 000031
【図３０】
2009510516.tif 000032
【図３１】
2009510516.tif 000033
【図３２】
2009510516.tif 000034
【図３３】
2009510516.tif 000035
【図３４】
2009510516.tif 000036
【図３５】
2009510516.tif 000037
【図３６】
2009510516.tif 000038
【図３７】
2009510516.tif 000039
【図３８】
2009510516.tif 000040
【国際調査報告】
2009510516.tif 000041
2009510516.tif 000042